(57)【要約】      （修正有）【課題】衝撃等に対する保護効果の高い検出装置を提供する。【解決手段】検出装置１は、少なくとも一部が可撓性を有する基体２と、前記基体２に支持されている検出部３と、前記基体２との間に前記検出部３を挟むように配置され、前記検出部３の少なくとも一部を覆う保護部５と、を有し、前記保護部５は、複数のカバー片５１を備え、前記カバー片５１は、一部が他の前記カバー片５１と重なって配置されていると共に、前記他のカバー片５１に対して変位可能である。また、前記カバー片５１のヤング率は、前記基体２の可撓性を有する部分のヤング率よりも大きい。【選択図】図１
2018153239.tif 000002
【特許請求の範囲】
【請求項１】
少なくとも一部が可撓性を有する基体と、
前記基体に支持されている検出部と、
前記基体との間に前記検出部を挟むように配置され、前記検出部の少なくとも一部を覆う保護部と、を有し、
前記保護部は、複数のカバー片を備え、
前記カバー片は、一部が他の前記カバー片と重なって配置されていると共に、前記他のカバー片に対して変位可能であることを特徴とする検出装置。
【請求項２】
前記カバー片のヤング率は、前記基体の可撓性を有する部分のヤング率よりも大きい請求項１に記載の検出装置。
【請求項３】
前記カバー片は、前記基体と反対側に凸となるように屈曲または湾曲した部分を有する請求項１または２に記載の検出装置。
【請求項４】
前記基体と前記保護部との間に配置され、前記基体と前記保護部とを接続し、伸縮性を有する接続部を備える請求項１ないし３のいずれか１項に記載の検出装置。
【請求項５】
前記接続部は、前記検出部を覆っている請求項４に記載の検出装置。
【請求項６】
前記保護部は、重なり合う前記カバー片同士を接続し、伸縮性を有するカバー片接続部を備える請求項１ないし５のいずれか１項に記載の検出装置。
【請求項７】
少なくとも１つの前記カバー片に設けられた電子部品を有する請求項１ないし６のいずれか１項に記載の検出装置。
【請求項８】
前記基体は、伸縮性を有し、
前記検出部は、前記基体の伸縮を検出する請求項１ないし７のいずれか１項に記載の検出装置。
【請求項９】
前記検出部は、生体情報を検出する請求項１ないし８のいずれか１項に記載の検出装置。
【発明の詳細な説明】
【技術分野】
【０００１】
本発明は、検出装置に関するものである。
【背景技術】
【０００２】
例えば、特許文献１には、伸縮性基材と、伸縮性基材に配置された伸縮性配線と、伸縮性配線を覆って保護するように伸縮性基材に設けられた保護層と、を有する伸縮性配線基板が開示されている。
【先行技術文献】
【特許文献】
【０００３】
【特許文献１】特開２０１６−２１９５４３号公報
【発明の概要】
【発明が解決しようとする課題】
【０００４】
しかしながら、引用文献１の伸縮性配線基板では、保護層が伸縮性基材の伸縮を阻害しないように、保護層にも伸縮性が要求される。そのため、保護層が柔らかくなり過ぎてしまい、外部からの衝撃等からの保護効果が不足するおそれがある。
本発明の目的は、衝撃等に対する保護効果の高い検出装置を提供することにある。
【課題を解決するための手段】
【０００５】
上記目的は、下記の本発明により達成される。
【０００６】
本発明の検出装置は、少なくとも一部が可撓性を有する基体と、
前記基体に支持されている検出部と、
前記基体との間に前記検出部を挟むように配置され、前記検出部の少なくとも一部を覆う保護部と、を有し、
前記保護部は、複数のカバー片を備え、
前記カバー片は、一部が他の前記カバー片と重なって配置されていると共に、前記他のカバー片に対して変位可能であることを特徴とする。
このような構成とすることで、各カバー片を硬質な材料で構成しても、基体の変形が阻害されない。そのため、機械的強度の高い保護部を構成することができ、衝撃等に対する保護効果の高い検出装置が得られる。
【０００７】
本発明の検出装置では、前記カバー片のヤング率は、前記基体の可撓性を有する部分のヤング率よりも大きいことが好ましい。
これにより、保護部によって、検出部を衝撃からより効果的に保護することができる。そのため、機械的強度の高い検出装置となる。
【０００８】
本発明の検出装置では、前記カバー片は、前記基体と反対側に凸となるように屈曲または湾曲した部分を有することが好ましい。
これにより、基体の変形に伴ってカバー片をスムーズに変位させることができ、基体のスムーズな変形が可能となる。さらには、隣り合うカバー片の間に形成される段差を小さく抑えることができ、より引っ掛かり難い保護部となる。
【０００９】
本発明の検出装置では、前記基体と前記保護部との間に配置され、前記基体と前記保護部とを接続し、伸縮性を有する接続部を備えることが好ましい。
これにより、基体の変形を阻害することなく、基体と保護部とを接続することができる。また、接続部を保護部によって保護することもできる。
【００１０】
本発明の検出装置では、前記接続部は、前記検出部を覆っていることが好ましい。
これにより、接続部によって検出部を特に水分から保護することができる。
【００１１】
本発明の検出装置では、前記保護部は、重なり合う前記カバー片同士を接続し、伸縮性を有するカバー片接続部を備えることが好ましい。
これにより、各カバー片の過度な変位を抑制することができる。そのため、保護部の機能をより確実に発揮することができる。
【００１２】
本発明の検出装置では、少なくとも１つの前記カバー片に設けられた電子部品を有することが好ましい。
これにより、カバー片の表面を有効活用することができると共に、検出装置に種々の機能を持たせることができる。そのため、付加価値の高い、利便性に優れる検出装置となる。
【００１３】
本発明の検出装置では、前記基体は、伸縮性を有し、
前記検出部は、前記基体の伸縮を検出することが好ましい。
これにより、例えば、検出装置を人間等の可動体の動きを検出するためのモーションセンサーとして利用することができる。そのため、利便性の高い検出装置となる。
【００１４】
本発明の検出装置では、前記検出部は、生体情報を検出することが好ましい。
これにより、検出装置を生体情報センサーとして利用することができる。そのため、利便性の高い検出装置となる。
【図面の簡単な説明】
【００１５】
【図１】本発明の第１実施形態に係る検出装置を示す縦断面図である。
【図２】図１に示す検出装置の装着状態を示す図である。
【図３】図１に示す検出装置が備える基体を示す平面図である。
【図４】図１中のＡ−Ａ線断面図である。
【図５】図１に示す検出装置が伸張した状態を示す縦断面図である。
【図６】図１に示す検出装置が湾曲した状態を示す縦断面図である。
【図７】本発明の第２実施形態に係る検出装置を示す縦断面図である。
【発明を実施するための形態】
【００１６】
以下、本発明の検出装置を添付図面に示す好適な実施形態に基づいて詳細に説明する。
＜第１実施形態＞
図１は、本発明の第１実施形態に係る検出装置を示す縦断面図である。図２は、図１に示す検出装置の装着状態を示す図である。図３は、図１に示す検出装置が備える基体を示す平面図である。図４は、図１中のＡ−Ａ線断面図である。図５は、図１に示す検出装置が伸張した状態を示す縦断面図である。図６は、図１に示す検出装置が湾曲した状態を示す縦断面図である。なお、以下では、説明の便宜上、図１、図４、図５および図６の上側を「上」とも言い、図１、図４、図５および図６の下側を「下」とも言う。
【００１７】
図１に示す検出装置１は、可動体に装着して用いられるウェアラブル端末である。なお、可動体としては、特に限定されず、例えば、人間を含む各種動物、関節を有する各種ロボット等、自動車、飛行機等の各種移動体が挙げられる。本実施形態では、説明の便宜上、図２に示すように、可動体が人間Ｈであり、検出装置１をひじの関節Ｊを跨いで腕に配置する場合を例に挙げて説明する。また、検出装置１が検出する情報としては、特に限定されないが、本実施形態では、説明の便宜上、関節Ｊの動きと人間Ｈの生体情報とを検出する場合を例に挙げて説明する。
【００１８】
図１に示すように、検出装置１は、基体２と、基体２に配置された検出部３および機能部４と、基体２との間に検出部３および機能部４を挟むようにして配置された保護部５と、基体２と保護部５との間に配置され、これらを接続する接続部６と、保護部５に配置された電子部品７と、接続部６に埋設され、電子部品７と電気的に接続された配線８と、を有している。図２に示すように、検出装置１は、基体２が関節Ｊを跨ぐようにして人間Ｈの腕の皮膚に装着される。すると、関節Ｊの曲げ伸ばしに基づいて基体２が伸縮し、検出部３がこの伸縮を検出する。これにより、検出装置１は、関節Ｊの曲げ伸ばしを検出することができる。また、検出部３は、前述した関節Ｊの曲げ伸ばしに加えて、人間Ｈの体温、脈、血圧等の生体情報を検出するようにもなっている。
【００１９】
なお、図示しないが、基体２の下面（保護部５と反対側の面）には粘着層が設けられており、この粘着層によって検出装置１を皮膚に装着できるようになっている。ただし、検出装置１の装着方法としては、特に限定されず、例えば、バンド（ベルト）を用いて人間Ｈに装着してもよい。以下、このような検出装置１について詳細に説明する。
【００２０】
（基体）
図１および図３に示すように、基体２は、図１および図３の横方向に延びる長手形状（帯状）をなし、少なくとも一部が可撓性を有している。さらに、本実施形態では、基体２は、少なくとも一部が伸縮性を有している。すなわち、本実施形態の基体２は、可撓性および伸縮性を有している。また、基体２は、可撓性および伸縮性を有するフレキシブル基板２１と、フレキシブル基板２１の上面に接合された硬質な５つのリジッド基板２２（２２１、２２２、２２３、２２４、２２５）と、を有している。また、複数のリジッド基板２２は、フレキシブル基板２１の長手方向に沿って互いに間隔を空けて間欠的に配置されている。なお、フレキシブル基板２１とリジッド基板２２２とには後述する貫通孔２ａが形成され、フレキシブル基板２１とリジッド基板２２４とには後述する貫通孔２ｂが形成されている。
【００２１】
ただし、基体２の構成としては、特に限定されず、例えば、フレキシブル基板２１が隣り合うリジッド基板２２同士を接続するように、複数に分割されていてもよい。また、リジッド基板２２の数や配置は、特に限定されないし、リジッド基板２２を省略してもよい。
【００２２】
フレキシブル基板２１の構成材料としては、可撓性および伸縮性を発揮することができれば、特に限定されず、例えば、ポリウレタン系エラストマー、スチレン系熱可塑性エラストマー、オレフィン系熱可塑性エラストマー、塩ビ系熱可塑性エラストマー、エステル系熱可塑性エラストマー、アミド系熱可塑性エラストマー、シリコーン系熱可塑性エラストマー、フッ素系熱可塑性エラストマー等の各種熱可塑性エラストマー、アクリル系ゴム、シリコーン系ゴム、ブタジエン系ゴム、スチレン系ゴム等の各種ゴム材料等を用いることができる。また、フレキシブル基板２１は、２層以上を積層した積層体であってもよい。この場合、上記材料のうちの異なる材料の層を積層したものが挙げられる。
【００２３】
図３に示すように、このようなフレキシブル基板２１には複数の配線２３が設けられている。複数の配線２３は、それぞれ、伸縮性を有し、フレキシブル基板２１の伸縮と共に伸縮し、フレキシブル基板２１の伸張によっても断線しない構成となっている。また、配線２３の構成材料としては、特に限定されないが、伸縮性（弾性）を有するポリマーに導電性材料を添加したものが好ましい。伸縮性を有するポリマーとしては、例えば、ポリウレタン系エラストマー、スチレン系熱可塑性エラストマー、オレフィン系熱可塑性エラストマー、塩ビ系熱可塑性エラストマー、エステル系熱可塑性エラストマー、アミド系熱可塑性エラストマー、シリコーン系熱可塑性エラストマー、フッ素系熱可塑性エラストマー等の各種熱可塑性エラストマー、アクリル系ゴム、シリコーン系ゴム、ブタジエン系ゴム、スチレン系ゴム等の各種ゴム材料等が挙げられる。導電性材料としては、例えば、金属系（例えば、Ａｕ、Ａｇ、Ｃｕ、Ｎｉ、Ｚｎ、Ａｌ）、金属酸化物系（例えば、ＳｎＯ２／Ｓｂドープ、Ｉｎ２Ｏ３／Ｓｎドープ、ＺｎＯ／Ａｌドープ）、カーボン系（例えば、導電性カーボンブラック、グラファイト）の各種導電性フィラーまたは各種導電性ポリマーが挙げられる。また、上述した材料にセルロースナノファイバー、カーボンナノファイバーなどを添加することもでき、この場合には、導電性の向上と共に、配線の補強効果が発揮され、断線し難い配線２３が得られる。
【００２４】
一方、リジッド基板２２としては、特に限定されず、例えば、プリント配線基板で用いられるようなガラスエポキシ基板、ガラスコンポジット基板、セラミックス基板等を用いることができる。このようなリジッド基板２２には、図示しない複数の配線が設けられおり、各配線は、フレキシブル基板２１に設けられた所定の配線２３と電気的に接続されている。
【００２５】
（検出部）
図１に示すように、検出部３は、基体２（フレキシブル基板２１）の伸縮を検出する伸縮検出部３１と、生体情報を検出する生体情報検出部３２と、を有している。また、生体情報検出部３２は、人間の体温を検出する体温検出部３２１と、人間Ｈの脈拍を検出する脈拍検出部３２２と、を有している。そして、伸縮検出部３１がリジッド基板２２３の上面に配置されており、体温検出部３２１がリジッド基板２２２の上面に配置されており、脈拍検出部３２２がリジッド基板２２４の上面に配置されている。伸縮検出部３１は、例えば、給電端子、入力端子、出力端子、メモリー、演算部等を有する半導体チップを有していてもよい。
【００２６】
伸縮検出部３１は、例えば、次のようにして基体２の伸縮を検出する。前述したように、フレキシブル基板２１には、複数の配線２３が設けられている。そして、図３に示すように、これら配線２３のなかには、基体２の伸縮を検出するための検出用配線２３１が含まれている。検出用配線２３１は、フレキシブル基板２１の長手方向（関節Ｊの曲げ伸ばしによって伸縮する方向）に延在しており、フレキシブル基板２１と共に伸縮する。検出用配線２３１は、その伸縮に伴って配線長や横断面積が変化し、それに伴って抵抗値が変化する。そのため、伸縮検出部３１は、検出用配線２３１の抵抗値変化に基づいてフレキシブル基板２１（基体２）の伸縮を検出することができる。なお、抵抗値変化は、例えば、検出用配線２３１の両端の電圧や電流を測定することで検出することができる。ただし、伸縮検出部３１の構成は、基体２の伸縮を検出することができれば、特に限定されない。
【００２７】
体温検出部３２１は、例えば、サーミスタ、サーモパイル、熱電対、赤外線温度センサー等の感温素子３２１ａを有しており、この感温素子３２１ａによって、人間Ｈの体温を検知できるようになっている。なお、本実施形態では、皮膚からの体温（熱）を感温素子３２１ａの下面に効率よく誘導することができるように、リジッド基板２２２およびフレキシブル基板２１に貫通孔２ａが形成されている。ただし、体温検出部３２１の構成は、人間Ｈの体温を検出することができれば、特に限定されない。
【００２８】
脈拍検出部３２２は、例えば、発光素子３２２ａおよび受光素子３２２ｂを備え、発光素子３２２ａからの光を皮膚の内側近傍の血管に照射し、皮膚内で反射された光を受光素子３２２ｂが受光するように構成されている。血中のヘモグロビンは、発光素子３２２ａからの光を吸収する性質を有しているため、脈拍検出部３２２は、ヘモグロビンによって吸収されずに反射して戻ってきた光の量を受光素子３２２ｂで検出し、その結果に基づいて脈拍を検出できるようになっている。なお、本実施形態では、発光素子３２２ａからの発光光および受光素子３２２ｂへ向かう反射光の光路を確保するために、リジッド基板２２４およびフレキシブル基板２１に貫通孔２ｂが形成されている。ただし、脈拍検出部３２２の構成は、人間Ｈの脈拍を検出することができれば、特に限定されない。
【００２９】
以上、検出部３について説明したが、検出部３の構成としては、所定の情報を検出することができれば、特に限定されない。例えば、生体情報検出部３２は、本実施形態のような体温や脈拍の他にも、または、体温や脈拍に代えて、心電、筋電、血圧等を検出できるようになっていてもよい。また、検出部３は、伸縮検出部３１および生体情報検出部３２の一方だけを有していてもよい。
【００３０】
（機能部）
図１に示すように、機能部４は、検出部３の電源となるバッテリー４１、検出部３を制御するＩＣ４２（半導体チップ）、検出部３が取得した情報（基体２の伸縮量、体温、脈拍）を記憶する記憶部４３、取得した情報を外部へ出力する通信部４４を有している。また、バッテリー４１およびＩＣ４２がリジッド基板２２１の上面に配置されており、記憶部４３および通信部４４がリジッド基板２２５の上面に配置されている。そして、検出部３、バッテリー４１、ＩＣ４２、記憶部４３および通信部４４は、必要に応じて配線２３を介して電気的に接続されている。なお、記憶部４３としては、特に限定されず、例えば、フラッシュメモリー等を用いることができる。また、通信部４４の通信手段としては、特に限定されず、有線、無線を問わないが、例えば、Ｂｌｕｅｔｏｏｔｈ（登録商標）等の無線通信を用いることが好ましい。
【００３１】
なお、機能部４の構成としては、特に限定されず、例えば、バッテリー４１、ＩＣ４２、記憶部４３および通信部４４の少なくとも１つが省略されていてもよいし、これら以外の機能を有するものを含んでいてもよい。また、機能部４が備える各部の配置も特に限定されない。また、機能部４は、検出部３に内蔵されていてもよい。
【００３２】
（保護部）
図１に示すように、保護部５は、基体２との間に検出部３および機能部４を挟むように配置されている。これにより、保護部５によって、検出部３および機能部４を保護することができる。このような保護部５は、これを構成する各カバー片５１が図１および図４に示すように基体２と反対側に凸となる湾曲形状となっており、さらにそれらの端部同士が重なって蛇腹状となっている。そして、図５および図６に示すように、基体２の変形（伸縮、湾曲等）に応じた変形（伸縮、湾曲等）が可能である。
【００３３】
保護部５は、複数のカバー片５１を備えている。また、複数のカバー片５１は、基体２の長手方向（伸縮方向）に沿って配置されている。また、各カバー片５１は、一部が隣のカバー片５１と重なって配置されていると共に、隣のカバー片５１に対して変位可能となっている。保護部５は、各カバー片５１が隣のカバー片５１に対して変位することで変形することができ、基体２の変形（湾曲、伸縮）に追従することができる。そのため、保護部５は、基体２の変形を阻害することなく、検出部３および機能部４を保護することができる。なお、ここで言う「変位」は、基体２の長手方向またはこれと交差する方向への移動、隣接するカバー片５１同士がなす角度の変更、これらの組み合わせを意味する。
【００３４】
また、各カバー片５１は、フレキシブル基板２１よりも高いヤング率を有しており、フレキシブル基板２１よりも硬質である。これにより、保護部５は、検出部３および機能部４を特に衝撃から守ることができる。そのため、機械的強度の高い検出装置１となる。なお、各カバー片５１のヤング率としては、特に限定されないが、例えば、１ＧＰａ以上であることが好ましく、１０ＧＰａ以上であることがより好ましい。このようなカバー片５１の構成材料としては、特に限定されず、例えば、各種樹脂材料、各種金属材料を用いることもできるが、特に、プリント配線基板で用いられるようなガラスエポキシ基板、ガラスコンポジット基板、セラミックス基板等を用いることが好ましい。これにより、後述するように、カバー片５１への電子部品７の搭載が容易となる。
【００３５】
図１に示すように、本実施形態では、カバー片５１は、リジッド基板２２の数に対応して５枚設けられている。具体的には、複数のカバー片５１は、リジッド基板２２１に対応し、リジッド基板２２１と重なって配置されたカバー片５１１と、リジッド基板２２２に対応し、リジッド基板２２２と重なって配置されたカバー片５１２と、リジッド基板２２３に対応し、リジッド基板２２３と重なって配置されたカバー片５１３と、リジッド基板２２４に対応し、リジッド基板２２４と重なって配置されたカバー片５１４と、リジッド基板２２５に対応し、リジッド基板２２５と重なって配置されたカバー片５１５と、を有している。これにより、リジッド基板２２１上の機能部４（バッテリー４１およびＩＣ４２）をカバー片５１１で保護することができ、リジッド基板２２２上の体温検出部３２１をカバー片５１２で保護することができ、リジッド基板２２３上の伸縮検出部３１をカバー片５１３で保護することができ、リジッド基板２２４上の脈拍検出部３２２をカバー片５１４で保護することができ、リジッド基板２２５上の機能部４（記憶部４３および通信部４４）をカバー片５１５で保護することができる。そのため、保護部５によって、検出部３および機能部４をより効果的に保護することができる。ただし、カバー片５１の数や配置は、特に限定されない。
【００３６】
また、図１に示すように、本実施形態では、カバー片５１３が基体２の長手方向中央部に位置している。また、カバー片５１３は、基部５１３ａと、基部５１３ａの左側に位置し、基部５１３ａに対して下方に傾斜した傾斜部５１３ｂと、基部５１３ａの右側に位置し、基部５１３ａに対して下方に傾斜した傾斜部５１３ｃと、を有している。
【００３７】
また、図１に示すように、カバー片５１３の左側には、カバー片５１２が配置されている。カバー片５１２は、カバー片５１３の上方に重なって配置された基部５１２ａと、基部５１２ａの左側に位置し、基部５１２ａに対して下方に傾斜した傾斜部５１２ｂと、を有している。特に、自然状態（基体２に伸縮、湾曲等の変形が生じていない状態。以下同様である。）では、カバー片５１２の基部５１２ａがカバー片５１３の基部５１３ａと接触している。
【００３８】
また、図１に示すように、カバー片５１２の左側には、カバー片５１１が配置されている。カバー片５１１は、カバー片５１２の上方に重なって配置された基部５１１ａと、基部５１１ａの左側に位置し、基部５１１ａに対して下方に傾斜した傾斜部５１１ｂと、を有している。特に、自然状態では、カバー片５１１の基部５１１ａがカバー片５１２の基部５１２ａと接触している。
【００３９】
また、図１に示すように、カバー片５１３の右側には、カバー片５１４が配置されている。カバー片５１４は、カバー片５１３の上方に重なって配置された基部５１４ａと、基部５１４ａの右側に位置し、基部５１４ａに対して下方に傾斜した傾斜部５１４ｂと、を有している。特に、自然状態では、カバー片５１４の基部５１４ａがカバー片５１３の基部５１３ａと接触している。
【００４０】
また、図１に示すように、カバー片５１４の右側には、カバー片５１５が配置されている。カバー片５１５は、カバー片５１４の上方に重なって配置された基部５１５ａと、基部５１５ａの右側に位置し、基部５１５ａに対して下方に傾斜した傾斜部５１５ｂと、を有している。特に、自然状態では、カバー片５１５の基部５１５ａがカバー片５１４の基部５１４ａと接触している。
【００４１】
以上のように、各カバー片５１１、５１２、５１３、５１４、５１５は、上方（基体２と反対側）に凸となるように屈曲（または湾曲）した部分を有している。各カバー片５１１、５１２、５１３、５１４、５１５をこのような構成とすることで、例えば、基体２を図６に示すように湾曲させた場合に、カバー片５１１がカバー片５１２に対して、カバー片５１２がカバー片５１３に対して、カバー片５１４がカバー片５１３に対して、カバー片５１５がカバー片５１４に対して、それぞれ、変位し易くなる。そのため、基体２のスムーズな変形が可能となる。さらには、隣り合うカバー片５１の間に形成される段差Ｑを小さく抑えることができ、より引っ掛かり難い保護部５となる。ただし、各カバー片５１１、５１２、５１３、５１４、５１５の形状は、特に限定されない。
【００４２】
保護部５は、さらに、隣り合うカバー片５１同士を接続するカバー片接続部５２を有している。これにより、各カバー片５１の過度な変位を抑制することができる。具体的には、例えば、隣り合うカバー片５１が離間するまで（重ならなくなるまで）過度に変位してしまったり、重なり合うカバー片５１同士の間に過度な隙間が生じてしまったりすることを抑制することができ、保護部５の機能をより確実に発揮することができる。
【００４３】
このようなカバー片接続部５２は、カバー片５１１、５１２を接続するカバー片接続部５２１と、カバー片５１２、５１３を接続するカバー片接続部５２２と、カバー片５１３、５１４を接続するカバー片接続部５２３と、カバー片５１４、５１５を接続するカバー片接続部５２４と、を有している。
【００４４】
また、カバー片接続部５２１は、カバー片５１１の基部５１１ａとカバー片５１２の傾斜部５１２ｂとの間に配置されており、基部５１１ａと傾斜部５１２ｂとを接続している。これにより、基部５１１ａと傾斜部５１２ｂとの隙間をカバー片接続部５２１の配置スペースとして有効活用することができると共に、基部５１１ａによってカバー片接続部５２１を保護することができる。
【００４５】
また、カバー片接続部５２２は、カバー片５１２の基部５１２ａとカバー片５１３の傾斜部５１３ｂとの間に配置されており、基部５１２ａと傾斜部５１３ｂとを接続している。これにより、基部５１２ａと傾斜部５１３ｂとの隙間をカバー片接続部５２２の配置スペースとして有効活用することができると共に、基部５１２ａによってカバー片接続部５２２を保護することができる。
【００４６】
また、カバー片接続部５２３は、カバー片５１４の基部５１４ａとカバー片５１３の傾斜部５１３ｃとの間に配置されており、基部５１４ａと傾斜部５１３ｃとを接続している。これにより、基部５１４ａと傾斜部５１３ｃとの隙間をカバー片接続部５２３の配置スペースとして有効活用することができると共に、基部５１４ａによってカバー片接続部５２３を保護することができる。
【００４７】
また、カバー片接続部５２４は、カバー片５１５の基部５１５ａとカバー片５１４の傾斜部５１４ｂとの間に配置されており、基部５１５ａと傾斜部５１４ｂとを接続している。これにより、基部５１５ａと傾斜部５１４ｂとの隙間をカバー片接続部５２４の配置スペースとして有効活用することができると共に、基部５１５ａによってカバー片接続部５２４を保護することができる。
【００４８】
このようなカバー片接続部５２１、５２２、５２３、５２４は、それぞれ、伸縮性（弾性）を有している。これにより、前述したようなカバー片５１同士の変位を阻害することなく、カバー片５１同士を接続することができる。また、例えば、このようなカバー片接続部５２によって複数のカバー片５１を予め接続しておくことで、保護部５の基体２への装着が容易となり、検出装置１の製造が容易となる。
【００４９】
このようなカバー片接続部５２１、５２２、５２３、５２４の構成材料としては、特に限定されず、例えば、ポリウレタン系エラストマー、スチレン系熱可塑性エラストマー、オレフィン系熱可塑性エラストマー、塩ビ系熱可塑性エラストマー、エステル系熱可塑性エラストマー、アミド系熱可塑性エラストマー、シリコーン系熱可塑性エラストマー、フッ素系熱可塑性エラストマー等の各種熱可塑性エラストマー系の接着剤、アクリル系ゴム、シリコーン系ゴム、ブタジエン系ゴム、スチレン系ゴム等の各種ゴム材料系の接着剤等を用いることができる。
【００５０】
なお、このようなカバー片接続部５２は、省略してもよい。また、後述する接続部６と一体的に形成されていてもよい。すなわち、接続部６がカバー片接続部５２を兼ねていてもよい。
【００５１】
（接続部）
図１に示すように、接続部６は、基体２と保護部５との間に配置され、これらを接続している。また、接続部６は、基体２と保護部５との間に挿入され、特に実質的に隙間なく充填されており、検出部３および機能部４を覆っている。すなわち、接続部６は、モールド材としての機能を有する。これにより、検出部３および機能部４を特に水分から有効に保護することができる。また、接続部６は、伸縮性（弾性）を有している。これにより、基体２の変形を阻害することなく、基体２と保護部５とを接続することができる。また、接続部６は、検出部３および機能部４を保護する緩衝機能も有する。このような接続部６としては、特に限定されないが、例えば、前述したカバー片接続部５２で挙げたものと同様の構成材料を用いることができる。
【００５２】
なお、基体２と保護部５との接続方法は、接続部６を用いた方法に限定されない。また、接続部６の構成としては、特に限定されず、例えば、検出部３や機能部４の少なくとも一部を覆っていなくてもよい。
【００５３】
（電子部品）
図１に示すように、電子部品７は、カバー片５１の表面に設けられている。このように、カバー片５１に電子部品７を設けることで、カバー片５１の表面を有効活用することができると共に、検出装置１に種々の機能を持たせることができる。そのため、付加価値の高い、利便性に優れる検出装置１となる。本実施形態では、電子部品７は、ソーラーパネル７１および入力部７２を有している。
【００５４】
ソーラーパネル７１は、光起電力効果によって電気を発生させる電子部品であり、ソーラーパネル７１による発電によりバッテリー４１を充電できるようになっている。これにより、例えば、バッテリー４１の容量を小さくしても、検出装置１の長時間連続駆動を実現することができる。そのため、検出装置１の小型化を図ることができる。なお、本実施形態では、ソーラーパネル７１は、カバー片５１１、５１２、５１４、５１５に設けられている。
【００５５】
入力部７２は、例えば、少なくとも１つのボタン７２１を有している。そして、このボタン７２１を操作することで、検出装置１の電源のＯＮ／ＯＦＦ等を行うことができるようになっている。
【００５６】
なお、電子部品７としては、特に限定されず、例えば、ソーラーパネル７１および入力部７２の他にも、液表ディスプレイ等からなる表示部、温度、湿度、圧力、加速度、角速度等を検出することができる各種センサー、ＬＥＤ等の発光素子を備える照明部品、検出装置１の作動や異常を音、光、振動等で報知する報知部品等を用いることができる。また、電子部品７は、省略してもよい。
【００５７】
（配線）
図１に示すように、配線８は、電子部品７、検出部３および機能部４を必要に応じて電気的に接続している。また、配線８は、保護部５と基体２との間に配置されている。特に本実施形態では、配線８は、接続部６に埋設されている。これにより、保護部５や接続部６によって配線８を保護することができる。また、配線８は、伸縮性を有している。これにより、基体２の変形を阻害することなく、また、基体２の変形によっても断線しない配線８となる。このような配線８の構成材料としては、特に限定されず、例えば、前述した配線２３と同様の材料を用いることができる。
【００５８】
以上、検出装置１について説明した。このような検出装置１は、前述したように、少なくとも一部が可撓性を有する基体２と、基体２に支持されている検出部３と、基体２との間に検出部３を挟むように配置され、検出部３の少なくとも一部を覆う保護部５と、を有している。また、保護部５は、複数のカバー片５１を備え、カバー片５１は、一部が他のカバー片５１と重なって配置されていると共に、他のカバー片５１に対して変位可能となっている。このような構成とすることで、各カバー片５１を硬質な材料で構成しても、基体２の変形が阻害されない。そのため、機械的強度の高い保護部５を構成することができ、衝撃等に対する保護効果の高い検出装置１が得られる。
【００５９】
また、前述したように、検出装置１では、カバー片５１のヤング率は、基体２の可撓性を有する部分（フレキシブル基板２１）のヤング率よりも大きい。これにより、保護部５によって、検出部３および機能部４を衝撃からより効果的に保護することができる。そのため、機械的強度の高い検出装置１となる。
【００６０】
また、前述したように、検出装置１では、カバー片５１は、基体２と反対側に凸となるように屈曲または湾曲した部分を有している。これにより、基体２の変形に伴ってカバー片５１をスムーズに変位させることができ、基体２のスムーズな変形が可能となる。さらには、隣り合うカバー片５１の間に形成される段差Ｑを小さく抑えることができ、より引っ掛かり難い保護部５となる。
【００６１】
また、前述したように、検出装置１では、基体２と保護部５との間に配置され、基体２と保護部５とを接続し、伸縮性を有する接続部６を備えている。これにより、基体２の変形を阻害することなく、基体２と保護部５とを接続することができる。また、接続部６を保護部５によって保護することもできる。
【００６２】
また、前述したように、検出装置１では、接続部６は、検出部３を覆っている。これにより、接続部６によって検出部３を特に水分から保護することができる。そのため、保護部５によって検出部３を衝撃から保護し、接続部６によって検出部３を水分から保護することができる。よって、優れた信頼性を有する検出装置１が得られる。
【００６３】
また、前述したように、検出装置１では、保護部５は、重なり合うカバー片５１同士を接続し、伸縮性を有するカバー片接続部５２を備えている。これにより、各カバー片５１の過度な変位を抑制することができる。具体的には、例えば、隣り合うカバー片５１が離間するまで過度に変位してしまったり、重なり合うカバー片５１同士の間に過度な隙間が生じてしまったりすることを抑制することができる。そのため、保護部５の機能をより確実に発揮することができる。
【００６４】
また、前述したように、検出装置１では、少なくとも１つのカバー片５１に設けられた電子部品７を有している。これにより、カバー片５１の表面を有効活用することができると共に、検出装置１に種々の機能を持たせることができる。そのため、付加価値の高い、利便性に優れる検出装置１となる。
【００６５】
また、前述したように、検出装置１では、基体２は、伸縮性を有し、検出部３は、基体２の伸縮を検出する機能を有している。これにより、例えば、検出装置１を人間Ｈ等の可動体の動きを検出するためのモーションセンサーとして利用することができる。そのため、利便性の高い検出装置１となる。
【００６６】
また、前述したように、検出装置１では、検出部３は、生体情報を検出する機能を有している。これにより、検出装置１を生体情報センサーとして利用することができる。そのため、利便性の高い検出装置１となる。
【００６７】
＜第２実施形態＞
図７は、本発明の第２実施形態に係る検出装置を示す縦断面図である。
【００６８】
本実施形態の検出装置は、保護部５の構成が異なること以外は、前述した第１実施形態と同様である。
【００６９】
なお、以下の説明では、本実施形態に関し、前述した第１実施形態との相違点を中心に説明し、同様の事項に関してはその説明を省略する。また、図７において、前述した実施形態と同様の構成については、同一符号を付している。
【００７０】
図７に示すように、本実施形態の検出装置１では、保護部５が管状をなしている。すなわち、各カバー片５１が軸Ｘを中心とする管状をなしている。そして、管状の保護部５の内側に基体２、検出部３および機能部４が収納されている。この検出装置１は、カバー片５１同士が変位することにより、装置全体が軸Ｘに対して任意の方向に湾曲したり、軸Ｘ軸方向に伸縮したりすることができる。このような検出装置１では、全方位からの衝撃から検出部３や機能部４を保護することができる。
【００７１】
このような第２実施形態によっても、前述した第１実施形態と同様の効果を発揮することができる。
【００７２】
以上、本発明の検出装置を図示の実施形態に基づいて説明したが、本発明は、これに限定されるものではなく、各部の構成は、同様の機能を有する任意の構成のものに置換することができる。また、本発明に、他の任意の構成物が付加されていてもよい。また、各実施形態を適宜組み合わせてもよい。
【符号の説明】
【００７３】
１…検出装置、２…基体、２ａ、２ｂ…貫通孔、２１…フレキシブル基板、２２、２２１、２２２、２２３、２２４、２２５…リジッド基板、２３…配線、２３１…検出用配線、３…検出部、３１…伸縮検出部、３２…生体情報検出部、３２１…体温検出部、３２１ａ…感温素子、３２２…脈拍検出部、３２２ａ…発光素子、３２２ｂ…受光素子、４…機能部、４１…バッテリー、４２…ＩＣ、４３…記憶部、４４…通信部、５…保護部、５１、５１１、５１２、５１３、５１４、５１５…カバー片、５１１ａ、５１２ａ、５１３ａ、５１４ａ、５１５ａ…基部、５１１ｂ、５１２ｂ、５１３ｂ、５１３ｃ、５１４ｂ、５１５ｂ…傾斜部、５２、５２１、５２２、５２３、５２４…カバー片接続部、６…接続部、７…電子部品、７１…ソーラーパネル、７２…入力部、７２１…ボタン、８…配線、Ｈ…人間、Ｊ…関節、Ｑ…段差、Ｘ…軸
【図１】
2018153239.tif 000003
【図２】
2018153239.tif 000004
【図３】
2018153239.tif 000005
【図４】
2018153239.tif 000006
【図５】
2018153239.tif 000007
【図６】
2018153239.tif 000008
【図７】
2018153239.tif 000009